(57)【要約】      （修正有）【課題】乾燥した蓬の燻煙の中に快適な姿勢で身体を置いて全身に蓬の燻煙を浴びることによって健康増進を図ることができる健康増進装置を提供する。【解決手段】使用者３０が仰臥姿勢、伏臥姿勢及び側臥姿勢のいずれの姿勢でも取ることができるとともに仰臥姿勢、伏臥姿勢及び側臥姿勢の間で姿勢を変更し得る大きさの空間を有し、一端面の頭突出穴１０Ｃから使用者が頭部３０Ａを外部に突出させることができる燻煙カバー１０と、該燻煙カバー内又は燻煙カバーに連通する空間内に設置され、乾燥蓬４０を燻して燻煙４１を発生し燻煙カバー内に燻煙を充満させることのできる燻煙発生器具２０と、を備える。【選択図】図１
2019047996.tif 000002
【特許請求の範囲】
【請求項１】
使用者（３０）が仰臥姿勢、伏臥姿勢及び側臥姿勢のいずれの姿勢を取ることができるとともに仰臥姿勢、伏臥姿勢及び側臥姿勢の間で姿勢を変更し得る大きさの空間を有し、一端面の頭突出穴（１０Ｃ、７１）から使用者（３０）が頭部（３０Ａ）を外部に突出させることができる燻煙カバー（１０、７０）と、
該燻煙カバー（１０）内又は燻煙カバー（１０）に連通する空間（６０）内に設置され、乾燥蓬（４０）を燻して燻煙（４１）を発生し上記燻煙カバー（１０、７０）内に燻煙（４１）を充満させることのできる燻煙発生器具（２０）と、を備えたことを特徴とする健康増進装置。
【請求項２】
上記燻煙カバー（１０）が蒲鉾状の気密性シート（１０Ａ）を骨組（１０Ｂ）によって、仰臥姿勢、伏臥姿勢及び側臥姿勢を取ることができるとともに仰臥姿勢、伏臥姿勢及び側臥姿勢の間で体位を変更し得る大きさの空間の立体形状に保持されている請求項１記載の健康増進装置。
【請求項３】
上記燻煙カバー（７０）が炬燵状となし、該燻煙カバー（７０）には空間（６０）が連通され、該空間（６０）内に燻煙発生器具（２０）が設置されている請求項１記載の健康増進装置。
【発明の詳細な説明】
【技術分野】
【０００１】
本発明は健康増進装置に関し、特に乾燥した蓬の燻煙の中に快適な姿勢で身体を置いて全身に蓬の燻煙を浴びることによって健康増進を図ることができるようにした装置に関する。
【背景技術】
【０００２】
蓬は有効な薬理作用を有し、お灸と同様に蓬を燃やしてその煙を患部に接触させたり、水とよもぎを混ぜて沸騰させ、その蒸気を身体に受けて殺菌・治療などに供する温熱健康器などの提案もなされている。
【０００３】
例えば、座浴器本体の中央に赤外線ランプを設け、その前後に水タンクと、よもぎを蒸気で加熱してよもぎ蒸気を発生させる装置を設け、座浴器本体の上に浴座を置き、上部の開口部よりよもぎ蒸気の拡散噴射と遠赤外線の照射を行うようにする一方、蓬蒸気を発生する装置に連結したシャワーヘッドで蓬蒸気の噴出もできるようにしたものが知られている（特許文献１）。
【０００４】
また、箱体の座面に開口部を形成し、箱体の内側底部に電熱器、その上に蓬の蒸し鍋を配設する一方、箱体の後面に形成した取着口に、蓬蒸気を導入・噴出するダクトを取り付け、該ダクトの導入口を前記蒸し鍋の上面に臨ませるとともに、噴出口を箱体の後面外側に沿い上方に向けて形成した健康増進装置か提案されている（特許文献２）。
【先行技術文献】
【特許文献】
【０００５】
【特許文献１】実用新案登録第３０６９１１０号公報
【特許文献２】実用新案登録第３１１４３２９号公報
【発明の開示】
【発明が解決しようとする課題】
【０００６】
しかし、特許文献１、２記載の健康増進装置では使用者が蓬の煙や蒸気を身体に浴びるためには長時間の間、着座姿勢を保つ必要があって苦痛であった。
【０００７】
本発明はかかる問題点に鑑み、蓬の燻煙の中に快適な姿勢で身体を置いて全身に蓬の燻煙を浴びることによって健康増進を図ることができるようにした健康増進装置を提供することを課題とする。
【課題を解決するための手段】
【０００８】
そこで、本発明に係る健康増進装置は、使用者が仰臥姿勢、伏臥姿勢及び側臥姿勢のいずれの姿勢でも取ることができるとともに仰臥姿勢、伏臥姿勢及び側臥姿勢の間で姿勢を変更し得る大きさの空間を有し、一端面の頭突出穴から使用者が頭部を外部に突出させることができる燻煙カバーと、該燻煙カバー内又は燻煙カバーに連通する空間内に設置され、乾燥蓬を燻して燻煙を発生し上記燻煙カバー内に燻煙を充満させることのできる燻煙発生器具と、を備えたことを特徴とする。
【０００９】
本発明の特徴の１つは使用者が仰臥姿勢、伏臥姿勢及び側臥姿勢のいずれの姿勢でも取ることができるとともに仰臥姿勢、伏臥姿勢及び側臥姿勢の間で姿勢を変更し得る大きさの空間を有する燻煙カバーを使用し、燻煙カバー内に乾燥蓬を燻した燻煙を充満させ、使用者が全身に燻煙を浴びることができるようにした点にある。
【００１０】
これにより、使用者は仰臥姿勢、伏臥姿勢及び側臥姿勢という楽な姿勢をとることによって蓬の燻煙を全身に浴びることができ、長時間にわたって蓬の燻煙を浴びても着座姿勢をとる場合に比較して受ける苦痛が少ない。
【００１１】
燻煙発生器具は例えば金属製、陶磁器製又は陶器製の容器に砂を入れその上に灰を置き、その上に炭（粉炭を固めた加工炭）などの固形燃料を置いて着火し、その上に乾燥した蓬を載せることによって蓬を燻すことができる。
【００１２】
本発明の第２の特徴は燻煙カバーの一端面に頭突出穴を設けて、使用者が頭部を外部に突き出すことができるようにした点にある。これにより、使用者が固形燃料の燃焼ガス、例えばＣＯガスや煙を吸引することはなく、健康被害を未然に防止できる。
【００１３】
燻煙カバーは、仰臥姿勢、伏臥姿勢及び側臥姿勢を取ることができるとともに仰臥姿勢、伏臥姿勢及び側臥姿勢の間で姿勢を変更し得る大きさの空間を有し、内部に蓬の燻煙を充満させることができればよく、例えば蒲鉾状の気密性シート、例えばビニールシートを骨組によって、仰臥姿勢、伏臥姿勢及び側臥姿勢を取ることができるとともに仰臥姿勢、伏臥姿勢及び側臥姿勢の間で体位を変更し得る大きさの空間の立体形状に保持されるように構成することができる。
【００１４】
また、プラスチック製又は金属製の函の一側面を開口させ、この函を燻煙カバーに連通させるとともに函内に燻煙発生器具を設置して燻煙カバー内に燻煙を充満させる構造を採用することもできる。この場合、使用者が誤って燻煙発生器具に接触して火傷を負うおそれを少なくして安全性を保証できる。
【００１５】
さらに、燻煙カバーに家庭にある炬燵を利用し、これと燻煙発生器具を組合わせて健康増進装置を構成することもできる。すなわち燻煙カバーが炬燵状となし、該燻煙カバーには空間が連通され、該空間内に燻煙発生器具が設置されるようにすることもできる。
【図面の簡単な説明】
【００１６】
【図１】本発明に係る健康増進装置の好ましい実施形態を示す図である。
【図２】第２の実施形態を示す図である。
【図３】第３の実施形態を示す図である。
【発明を実施するための形態】
【００１７】
以下、本発明を図面に示す具体例に基づいて詳細に説明する。図１は本発明に係る健康増進装置の好ましい実施形態を示す。図において、健康増進装置は燻煙カバー１０と燻煙発生器具２０から構成されている。
【００１８】
燻煙カバー１０は蒲鉾状の気密性シート１０Ａと骨組１０Ｂによって構成され、気密性シート１０Ａは厚手のビニール製シートのパーツを熱圧着などによって、仰臥姿勢、伏臥姿勢及び側臥姿勢を取ることのできるとともに仰臥姿勢、伏臥姿勢及び側臥姿勢の間で体位を変更し得る大きさの空間の立体的な蒲鉾状に固着して製造され、骨組１０Ｂによって蒲鉾形状に保持されるようになっている。
【００１９】
また、燻煙カバー１０の一端面には頭突出穴１０Ｃが形成され、頭突出穴１０Ｃから使用者３０が頭部３０Ａを外部に突出させることができるようになっている。
【００２０】
燻煙発生器具２０は低い金属製鍋又は植木鉢が利用され、この容器内の八分目ぐらいまで砂が入れられ、その上に指定の灰が置かれ、着火した加工炭（粉炭を塊状に固めたもの）が載せられ、乾燥した蓬４０が置かれ、蓬４０が燻されることによって燻煙４１が発生され、燻煙カバー１０内に充満されるようになっている。
【００２１】
本例の健康増進装置を使用する場合、図１に示されるように、下敷シート（例えば、市販のレジャー用アルミシート）５０の上に燻煙カバー１０を組立て燻煙カバー１０内に燻煙発生器具２０をセットし、燻煙発生器具２０の固形燃料に着火し、乾燥した蓬４０を燻し、燻煙４１を燻煙カバー１０内に充満させる。
【００２２】
燻煙カバー１０内が燻煙４１で充満されると、使用者３０が身体を燻煙カバー１０内に入れ、頭部３０Ａを外部に突き出すとともに、適当な時間、例えば仰臥姿勢を保った後、側臥姿勢に変え、適当な時間、側臥姿勢を保つ。その後、側臥姿勢から伏臥姿勢に変え、伏臥姿勢を保つ。
【００２３】
これによって使用者３０は全身に蓬の燻煙４０を浴びることができる。しかも、常に横たわった姿勢であるので、着座した姿勢の場合に比較して楽な姿勢であり、長時間燻煙４０を浴びても苦痛に感じることが少ない。なお、安全性を確保する観点から、付添い人がいるのが望ましい。
【００２４】
図２は第２の実施形態を示し、図１と同一符号は同一又は相当部分を示す。本例では１側面が開口された函６０が燻煙カバー１０に気密的に連通され、函６０内に燻煙発生器具２０が設置されており、使用者３０から離れた位置にある燻煙発生器具２０から燻煙４１が発生され、燻煙カバー１０内に充満されるようになっている。
【００２５】
図３は第３の実施形態を示し、図２と同一符号は同一又は相当部分を示す。本例では燻煙カバー７０として家庭の炬燵が用いられており、炬燵布団で函６０が覆われ、函６０内の燻煙発生器具２０から燻煙４１が発生され、燻煙カバー７０内に充満されるようになっている一方、使用者３０が身体を燻煙カバー７０内に入れ、頭部３０Ａを燻煙カバー７０の下端部７１から外部に突き出すことができるようにしている。
【符号の説明】
【００２６】
１０、７０      燻煙カバー
１０Ａ      シート
１０Ｂ      骨組
１０Ｃ、７１      頭突出穴
２０        燻煙発生器具
３０        使用者
３０Ａ        頭部
４０        蓬
４１        燻煙
６０      函（空間）
【図１】
2019047996.tif 000003
【図２】
2019047996.tif 000004
【図３】
2019047996.tif 000005